(57)【要約】サイクルのベースとして重力の作用を利用する、飲料が流動する際のプロポーショニングの技術および装置。この技術は液体の流出により開始される駆動輪の回転に基づく。プロポーショニングの一サイクルの期間に、設定された量の飲料が流出される。これは駆動輪により完了されるプロポーショニングサイクルの期間と正比例の関係にあり、回転速度と逆比例の関係にある。回転の速度は駆動輪のブレードの傾斜角度により設定される。ブレードの傾斜が大きいほど、駆動輪の回転速度が大きい。これは一サイクルの期間に流出される液体の量が少なくなることに帰着し、逆もまた真である。
2006525193.tif 000002
【特許請求の範囲】
【請求項１】
飲料が流動する際のプロポーショニングの技術であって、サイクルのベースとして重力の作用を利用し、駆動輪の一サイクルの期間とプロポーショニングされる液体の流出量との間の正比例の比率を維持し、駆動輪の回転速度とプロポーショニングされる液体の流出量との間の逆比例の比率を維持し、自由に固定された駆動輪（２）を有し、これがプロポーショニングサイクルの段階の期間に位置的（徐徐）な動きを行い、その期間において一定の投入、圧力および液体流出量を維持する、技術。
【請求項２】
飲料が流動する際のプロポーショニングのための装置であって、サイクルのベースとして重力の作用を利用し、別個の開口を有してボトル内部に空気が流入することを防ぐチャンバーを有し、装置を通る液体流れの機械的エネルギーにより駆動輪（２）の回転サイクルを完了させ、そして装置を通してのさらなる液体の流出を防ぎ、プロポーショニングサイクルの期間に軸の前進的回転および後進的回転を起こす駆動輪（２）を有する装置。
【請求項３】
出口（６）よりも小さな入口（５）を有し、駆動輪（２）が液体の運動エネルギーを利用する、請求項２記載の飲料が流動する際のプロポーショニングのための装置。
【請求項４】
入口（５）と出口（６）との間に存在する液体の位置エネルギーを利用する駆動輪（２）を有する、請求項３記載の飲料が流動する際のプロポーショニングのための装置。
【請求項５】
駆動輪（２）の回転軸内側に位置する空気開口（７）を有する、請求項４記載の飲料が流動する際のプロポーショニングのための装置。
【請求項６】
その接線軸の周りの回転と、ボトルの長さ方向の軸の周りの回転をする駆動輪（２）を有する、請求項５記載の飲料が流動する際のプロポーショニングのための装置。
【請求項７】
出口（６）を閉じる駆動輪（２）を有する、請求項６記載の飲料が流動する際のプロポーショニングのための装置。
【請求項８】
入口（５）を閉じる駆動輪（２）を有する、請求項７記載の飲料が流動する際のプロポーショニングのための装置。
【請求項９】
一回転をする駆動輪（２）を有する、請求項８記載の飲料が流動する際のプロポーショニングのための装置。
【請求項１０】
一回転未満の回転をする駆動輪（２）を有する、請求項９記載の飲料が流動する際のプロポーショニングのための装置。
【請求項１１】
ルーズな動きをする機構（１４）により、プロポーショニングサイクルの期間に一回転よりも多い回転をする駆動輪（２）を有する、請求項１０記載の飲料が流動する際のプロポーショニングのための装置。
【請求項１２】
歯（９）の動きを提供する表面であって、該表面がある角度でインプリメントされる、請求項１０記載の飲料が流動する際のプロポーショニングのための装置。
【請求項１３】
駆動輪（２）が翼型のブレードを有する、請求項１２記載の飲料が流動する際のプロポーショニングのための装置。
【請求項１４】
駆動輪（２）がスクリュー型のブレードを有する、請求項１３記載の飲料が流動する際のプロポーショニングのための装置。
【請求項１５】
変化した半径方向の傾斜角度を有する駆動輪（２）のブレードを有する、請求項１４記載の飲料が流動する際のプロポーショニングのための装置。
【請求項１６】
駆動輪（２）が３−位置の動きをする、請求項１記載の飲料が流動する際のプロポーショニングの技術。
【請求項１７】
駆動輪（２）が２−位置の動きをする、請求項１６記載の飲料が流動する際のプロポーショニングの技術。
【発明の詳細な説明】
【技術分野】
【０００１】
本発明はレストラン、カフェおよび他の飲用に適した場所において、飲料を流動させながら、飲料をプロポーショニングするための技術および装置に関する。
【０００２】
先行技術
測定ユニットの使用による飲料のプロポーショニングのための技術は、よく知られている。それは、飲料が達している高さによって測定されるような、指定された量の飲料を含むことができる特別の投入ボウルを含んでいる。ボトムアップボトルを含んでおり、測定のために容量分析を使用する固定されたプロポーショニング装置がさらに存在する。
【０００３】
発明の技術的な特徴
本発明は、容易かつ完全な飲料のプロポーショニングを意図する。そのゴールは、図面に示された技術と装置により達成される。ここではプロポーショニングツールがボトルの一番上に堅く固定され、また、ボトルキャップはその上にねじで留められるべきである。ボトルを上下逆さまにセットし、液体の幾分かを入り口から装置内に流し、別個の開口手段により、ボトル内に比例した量の空気が入る。両方の量は互いに平衡を保ち、それにより、ボトルの内部を一定圧に維持する。液体の流出量も、ボトル中の液体の量にかかわらず、内圧と同じく、一定に保持される。
【０００４】
液体の流入は、その力学的エネルギーの適用により駆動輪を駆動する。駆動輪は、回転の速度によって許可される所定量の液体が流れる間に、一サイクルの回転を完了する。その速度は、駆動輪のブレードの傾きの程度によって設定される。プロポーショニングサイクルの終わりに、駆動輪は出口を閉じて、それにより、装置への液体の一層の流出を防ぐ。ボトルが再度まっすぐにセットアップされ、駆動輪は新しいサイクルのために開始位置へ戻り、さらに装置によってボトルが充填されるのを防ぐ。しっかりとねじがしめられた時、ボトルキャップは出口と共に空気開口を閉じる。
【０００５】
本発明の技術は、液体の流出量と、駆動輪による完了された一サイクルの期間の間の正比例の関係に基づく。液体の流出量と、駆動輪によって完了するプロポーショニングサイクルの期間の間に逆比例の関係が存在する。駆動輪が回転する速度は、その外側端に沿った翼形のブレードの傾きの程度によって設定される。ブレードの傾きの角度が高いほど、プロポーショニングサイクルの間の駆動輪の回転の速度は速い。その結果液体の流出量は減少する。ブレードの傾きの角度がより低い場合、駆動輪の回転は相対的に減速し、それは大量の液体の流出に帰着する。
【０００６】
出口より小さな入口を有する装置では、駆動輪は、液体の運動エネルギーを使用し、そのブレードの長さ方向のセクションは一様である。その結果、駆動輪を通って流れている液体の速度方向の変化により、慣性力が起きる。
【０００７】
特定の実施の別の例は、液体の流入の位置エネルギーを多く使用する装置である。そのようなケースでは、入口はステアリング機構として作用し、コンバージェントブレードを有し、また駆動輪としても作用する。一定のパラメータとして流出と圧力を維持したまま、駆動輪を駆動する液体の力も同様に一定に保持される。そのようなモデルは、ボトルの内部の液体の位置エネルギーのみを使用する。
【０００８】
図の定義
図ｌ  全体像
図２  長さ方向の断面図
図３  ルーズな運動メカニズムを備えた実施例  
【０００９】
具体的な実施例
装置は、基体（１）およびボディ（４）から構成され、これらは組み合わされてボトル（８）中の空気の自由な流れを許可する開口（７）を形成する。基体（１）は、さらに入口（５）およびボディ、出口（６）として役立ち、それは液体の流出の運動あるいは位置エネルギーの任意の形を使用する場合に、ステアリング機構のように形作ることができる。これらの間で、軸（１１）−（１３）上で、翼形のブレード（３）を備えた駆動輪（２）を回転させる。ブレードの傾きの程度は、一サイクルの間に駆動輪（２）が回転する速度を設定する。サイクルは、チャンネル（１０）内への歯（９）の挿入で終わる。それは、駆動輪が出口（６）を閉じることを可能にする。まっすぐにセットアップされているボトル（８）では、歯（９）およびチャンネル（１０）は最初の位置に駆動輪（２）を向ける。その一方ではめ歯（１２）は別のサイクルの開始位置となるために最小の程度でそれを回している。そのような位置では、駆動輪（２）は入口（５）を閉じ、装置を通してボトルが充填されるのを防ぐ。しっかりとねじられた時、ボトルキャップは出口（６）と共に空気開口（７）を閉じる。
【００１０】
具体的な実施例の異なる例が図３に示され、ここでは軸（１１）がスクリューのように形作られる。駆動輪（２）は出口（６）を閉じるためにそのスクリューに固定されるべきである。ボトルがまっすぐにセットアップされた時、駆動輪（２）は、ルーズな運動メカニズム（１４）によって、最初の位置へ返る。
【００１１】
装置はプラスチックで作ることができる。基体（１）およびボディ（４）は関連する基準に準拠する。種種の飲料、文化的伝統、または地域的な好みにより必要な場合には、駆動輪は、プロポーショニングされる飲料の異なる量を設定するために、そのブレードの傾斜角度を変化させることができる。
【図面の簡単な説明】
【００１２】
【図１】図１は全体像
【図２】図２は長さ方向の断面図
【図３】図３はルーズな運動メカニズムを備えた実施例
【図１】
2006525193.tif 000003
【図２】
2006525193.tif 000004
【図３】
2006525193.tif 000005
【手続補正書】
【提出日】平成17年1月12日(2005.1.12)
【手続補正１】
【補正対象書類名】特許請求の範囲
【補正対象項目名】全文
【補正方法】変更
【補正の内容】
【特許請求の範囲】
【請求項１】
飲料が流動する際のプロポーショニングのための装置であって、サイクルのベースとして重力の作用と、それを通してボトル内部に空気を残さない部屋の機能を利用し、装置を通る液体流れの機械的エネルギーが駆動輪（２）の回転サイクルの完了を促し、そして装置を通してのさらなる液体の流出を防ぎ、プロポーショニングサイクルの間に、駆動輪はそれ自身の軸およびボトルの長さ方向の軸の周囲に回転可能であり、また同じ長さ方向の軸の周囲に前進的回転および後進的回転をすることができる装置。
【請求項２】
駆動輪（２）の回転軸がボトルの長さ方向の軸と一致する、請求項１記載の飲料が流動する際のプロポーショニングのための装置。
【請求項３】
出口（６）よりも小さな入口（５）を有し、駆動輪（２）が液体の運動エネルギーを利用する、請求項２記載の飲料が流動する際のプロポーショニングのための装置。
【請求項４】
入口（５）と出口（６）との間に存在する液体の位置エネルギーを利用する駆動輪（２）を有する、請求項３記載の飲料が流動する際のプロポーショニングのための装置。
【請求項５】
駆動輪（２）の回転軸内側に位置する空気開口（７）を有する、請求項４記載の飲料が流動する際のプロポーショニングのための装置。
【請求項６】
駆動輪（２）の回転軸が接戦位置にあり、これがボトルの長さ方向の軸と一致しないが、その周囲を回転する、請求項５記載の飲料が流動する際のプロポーショニングのための装置。
【請求項７】
出口（６）を閉じる駆動輪（２）を有する、請求項６記載の飲料が流動する際のプロポーショニングのための装置。
【請求項８】
入口（５）を閉じる駆動輪（２）を有する、請求項７記載の飲料が流動する際のプロポーショニングのための装置。
【請求項９】
ルーズな動きをする機構（１４）により、駆動輪（２）が初期位置をとることができる、請求項８記載の飲料が流動する際のプロポーショニングのための装置。
【請求項１０】
歯（９）の動きを容易にするため、回転の方向に傾斜した表面を有する、請求項９記載の飲料が流動する際のプロポーショニングのための装置。
【請求項１１】
駆動輪（２）が翼型のブレードを有する、請求項１０記載の飲料が流動する際のプロポーショニングのための装置。
【請求項１２】
駆動輪（２）がスクリュー型のブレードを有する、請求項１１記載の飲料が流動する際のプロポーショニングのための装置。
【請求項１３】
外縁方向に傾斜角度が減少する駆動輪のブレードを有する、請求項１２記載の飲料が流動する際のプロポーショニングのための装置。
【国際調査報告】
2006525193.tif 000006
2006525193.tif 000007
2006525193.tif 000008